(57)【要約】      （修正有）【課題】移動式マルチメディア看板の提供。【解決手段】箱体１前面に液晶フラットパネルディスプレイ２が取り付けられ、該箱体下方に複数のコーナーリング１１が取り付けられ、箱体が地面上に置かれて移動可能とされ、該液晶フラットパネルディスプレイが他の場所に設置されたコンピュータに接続可能とされ、以上の構造により、箱体が地面上で目につく場所に移動させられ、並びにコンピュータによりマルチメディアプログラムを実行することにより、液晶フラットパネルディスプレイが動画表示して動態広告表示を行なうよう形成されている。【選択図】図２
0003101148.tif 000002
【実用新案登録請求の範囲】
【請求項１】
下方に複数のコーナーリングが取り付けられ、該コーナーリングにより地面上を移動自在とされた箱体と、
該箱体の前面に取り付けられ、他の場所に設けられたコンピュータに接続され、該コンピュータがマルチメディアプログラムを実行することにより動画を表示し、動態広告表示を行なう液晶フラットパネルディスプレイと、
を具えたことを特徴とする、移動式マルチメディア看板。
【請求項２】
請求項１記載の移動式マルチメディア看板において、液晶フラットパネルディスプレイが箱体の前後両面に取り付けられたことを特徴とする、移動式マルチメディア看板。
【請求項３】
請求項１記載の移動式マルチメディア看板において、液晶フラットパネルディスプレイの代わりにプラズマディスプレイパネルが取り付けられたことを特徴とする、移動式マルチメディア看板。
【請求項４】
請求項１記載の移動式マルチメディア看板において、コンピュータが箱体内に設置されたことを特徴とする、移動式マルチメディア看板。
【請求項５】
請求項１記載の移動式マルチメディア看板において、箱体の側辺にスピーカが取り付けられて、該スピーカがコンピュータに接続されて該スピーカにより音声放送できるよう形成されたことを特徴とする、移動式マルチメディア看板。
【考案の詳細な説明】
【技術分野】
【０００１】
本考案は一種の移動式マルチメディア看板に係り、箱体前面に液晶フラットパネルディスプレイが取り付けられ、且つ該液晶フラットパネルディスプレイが別の場所に設置されたコンピュータに接続されて、該液晶フラットパネルディスプレイが広告を動態表示するよう形成された移動式マルチメディア看板に関する。
【背景技術】
【０００２】
一般に移動式販売或いは露天販売で使用される広告看板は、側面視で略二等辺三角形を呈する直立透光箱とされ、その箱体内にランプが取り付けられ、且つ箱体の前後両面に価格表及び店の名称等が書かれ、これにより道行く消費者を吸引する。
【０００３】
このような地面に置かれる広告看板の上面の価格表に変更や項目の増減がある時は、改修に不便であり、マジック或いは紙を貼る方式で暫時改修することができるのみである。しかし、このような広告看板は屋外に放置されるため、風雨や日照にさらされて文字が曖昧となり、一方で見にくくなり、また一方で明確な表示が行なえないためにトラブルを形成する。永久的解決方法は新たに広告看板を製作することであるが、一部の改修のために新たに広告看板を製作するのはコスト負担が大きく、販売上の問題を形成した。
【０００４】
さらに、一般に百貨店の各売り場では、特価商品を販売する時に、通常紙板に文字や図で販売する商品と価格を描き、消費者を引きつける。
【０００５】
しかし、紙板に特価商品を書いて販売促進する方式は簡単すぎて吸引性に乏しく、且つ簡易すぎて安売りの印象を与え、高価な商品と並列に販売することができない。
【０００６】
また、比較的正式なプレートで特価商品或いは販売促進商品を標示する方法もあるが、紙プレートに書くことに変わりなく、この方法もまた吸引性に乏しく、動態効果を具備せず、ゆえに使用上理想的でなく、改善が待たれている。
【考案の開示】
【考案が解決しようとする課題】
【０００７】
本考案の主要な目的は、一種の移動式マルチメディア看板を提供することにあり、それは箱体前面に液晶フラットパネルディスプレイが取り付けられ、且つ該液晶フラットパネルディスプレイが別の場所に設置されたコンピュータに接続されて、該液晶フラットパネルディスプレイが広告を動態表示するよう形成されたものとする。
【課題を解決するための手段】
【０００８】
請求項１の考案は、下方に複数のコーナーリングが取り付けられ、該コーナーリングにより地面上を移動自在とされた箱体と、
該箱体の前面に取り付けられ、他の場所に設けられたコンピュータに接続され、該コンピュータがマルチメディアプログラムを実行することにより動画を表示し、動態広告表示を行なう液晶フラットパネルディスプレイと、
を具えたことを特徴とする、移動式マルチメディア看板としている。
請求項２の考案は、請求項１記載の移動式マルチメディア看板において、液晶フラットパネルディスプレイが箱体の前後両面に取り付けられたことを特徴とする、移動式マルチメディア看板としている。
請求項３の考案は、請求項１記載の移動式マルチメディア看板において、液晶フラットパネルディスプレイの代わりにプラズマディスプレイパネルが取り付けられたことを特徴とする、移動式マルチメディア看板としている。
請求項４の考案は、請求項１記載の移動式マルチメディア看板において、コンピュータが箱体内に設置されたことを特徴とする、移動式マルチメディア看板としている。
請求項５の考案は、請求項１記載の移動式マルチメディア看板において、箱体の側辺にスピーカが取り付けられて、該スピーカがコンピュータに接続されて該スピーカにより音声放送できるよう形成されたことを特徴とする、移動式マルチメディア看板としている。
【考案の効果】
【０００９】
本考案の移動式マルチメディア看板は、箱体前面に液晶フラットパネルディスプレイが取り付けられ、且つ該液晶フラットパネルディスプレイが別の場所に設置されたコンピュータに接続されて、該液晶フラットパネルディスプレイが広告を動態表示することができる。
【考案を実施するための最良の形態】
【００１０】
本考案は周知の移動式看板の上述の欠点を鑑み、一種の移動式マルチメディア看板を提供する。それは、箱体前面に液晶フラットパネルディスプレイが取り付けられ、該箱体下方に複数のコーナーリングが取り付けられ、箱体が地面上に置かれて移動可能とされ、該液晶フラットパネルディスプレイが他の場所に設置されたコンピュータに接続可能とされ、以上の構造により、箱体が地面上で目につく場所に移動させられ、並びにコンピュータによりマルチメディアプログラムを実行することにより、液晶フラットパネルディスプレイが動画表示して動態広告表示を行なうよう形成されている。
【実施例１】
【００１１】
図１、及び図２に示されるように、本考案は箱体１と液晶フラットパネルディスプレイ２で構成されている。
【００１２】
該箱体１は、その下方に複数のコーナーリング１１が設けられ、これにより箱体１が地面上に置かれて移動可能とされる。
【００１３】
該液晶フラットパネルディスプレイ２は、箱体１の前面に取り付けられ、別の場所に設けられたコンピュータ３に接続され、コンピュータ３がマルチメディアプログラムを実行することにより、液晶フラットパネルディスプレイが動画表示して動態広告表示を行なうよう形成されている。
【００１４】
以上の構造により、マルチメディアソフトにより価格表、名称及び動態画像を予め製作完成し、その後、コンピュータにより実行することで、広告画面が液晶フラットパネルディスプレイ２に標示され、該箱体１は地面上をよく見える位置に移動でき、これにより動態画面の広告効果を有する。
【００１５】
価格表、名称等を動態画面或いは静態画面表示し、且つ任意に装飾を加えることで、広告画面に多様な変化を現出させて、良好な広告効果を達成することができる。
【００１６】
さらに、価格表、名称等をマルチメディアプログラムで設定製作することにより、必要に応じて自分で設定更新でき、価格表に変動或いは項目増減がある時も改修に便利であり、周知の技術のように看板を再製作したり紙とペンで修正する面倒と問題がなく、且つ良好な広告質感を有し、これにより消費者呼び込みの効果を高めることができる。
【００１７】
また、該液晶フラットパネルディスプレイ２は箱体１の前後両面に設置可能で、それにより両面表示の効果を有するものとされ、これは本考案のもう一つの実施形態である。
【００１８】
また、該液晶フラットパネルディスプレイ２はプラズマディスプレイパネルに代えることもでき、同様の効果を達成でき、これもまた本考案の別の実施例である。
【００１９】
図３に示されるように、コンピュータ３は箱体１内に設置して、箱体１と一体となすことも可能で、コンピュータに接続されるキーボード及びマウス（図示せず）は操作設定時に接続使用されるか、或いは箱体１内に内蔵可能で、これにより操作使用に便利とされ、これも本考案の別の実施例である。
【００２０】
図１及び図２に示されるように、該箱体１の側辺にはスピーカ４を取り付け可能で、且つ該スピーカ４はコンピュータ３に接続される。もしマルチメディアプログラムに音声設定があるならば、画像を放送する時に音声を画像フレームに組み合わせて放送でき、これにより広告効果を高めることができ、これもまた本考案の実施例の一つである。
【００２１】
また、該液晶フラットパネルディスプレイ２で放送する広告画面はマルチメディアプログラムにより設定され、このため相当に大きな変化弾性を有し、一方で商店が自分で変更使用することができ、また一方でメーカーにとってはマルチメディアソフトを提供するだけで全ての商店での使用に対応でき、個別に処理製作する面倒と不便がなく、このため比較的大きな変化弾性を有する。
【００２２】
綜合すると、本考案に記載の構造は従来にはなく、且つ確実に上述の効果を達成できるため、実用新案登録の要件を具備している。
【図面の簡単な説明】
【００２３】
【図１】本考案の斜視図である。
【図２】本考案の組合せ断面図である。
【図３】本考案の別の実施例の組合せ断面図である。
【符号の説明】
【００２４】
１  箱体
１１  コーナーリング
２  液晶フラットパネルディスプレイ
３  コンピュータ
４  スピーカ
【図１】
0003101148.tif 000003
【図２】
0003101148.tif 000004
【図３】
0003101148.tif 000005